(57)【要約】【課題】切り替えに伴う熱エネルギーのロスを低減する空気湿度調節装置を提供する。【解決手段】空気湿度調節装置１は、除湿対象空気Ａ３と接触したときに除湿対象空気Ａ３中の水分を吸着し、加湿対象空気Ａ４と接触したときに加湿対象空気Ａ４に水分を放出する調湿材１１と、調湿材１１に、除湿対象空気Ａ３を供給するのと加湿対象空気Ａ４を供給するのとを切り替える切替手段６３Ｐ、６３Ｑ、６４Ｐ、６４Ｑと、調湿材１１が吸着した水分が飽和した吸着飽和状態、及び、調湿材１１に吸着されていた水分の放出が終了した放出終了状態を検知する状態検知手段８０、８８と、状態検知手段８０、８８が、吸着飽和状態又は放出終了状態を検知したときに、切替手段６３Ｐ、６３Ｑ、６４Ｐ、６４Ｑを切り替える制御装置９０とを備える。而して、切り替えの回数を最小限に抑制でき、タイマーで切り替えるよりも熱エネルギーロスの低減に資する。【選択図】図１
2014055731.tif 000002
【特許請求の範囲】
【請求項１】
除湿対象空気と接触したときに前記除湿対象空気中の水分を吸着し、加湿対象空気と接触したときに前記加湿対象空気に水分を放出する調湿材と；
前記調湿材に、前記除湿対象空気を供給するのと前記加湿対象空気を供給するのとを切り替える切替手段と；
前記調湿材が吸着した水分が飽和した吸着飽和状態、及び、前記調湿材に吸着されていた水分の放出が終了した放出終了状態を検知する状態検知手段と；
前記状態検知手段が、前記吸着飽和状態又は前記放出終了状態を検知したときに、前記切替手段を切り替える制御装置とを備える；
空気湿度調節装置。
【請求項２】
前記調湿材と熱交換する流体の熱媒体を内部に流す熱媒体管を備え；
前記状態検知手段が、前記調湿材と熱交換した後の前記熱媒体の温度、前記調湿材と熱交換する前の前記熱媒体の温度と熱交換した後の前記熱媒体の温度との差である熱媒体温度差、前記調湿材に接触した後の空気の温度、及び前記調湿材に接触する前の空気の温度と接触した後の空気の温度との差である空気温度差の少なくとも１つを検知する温度検知器を含み、所定の経過時間に対する前記温度検知器で検知された値の変化分が所定の量以下となったときに、前記吸着飽和状態又は前記放出終了状態に達したと判断するように構成された；
請求項１に記載の空気湿度調節装置。
【請求項３】
前記状態検知手段が、前記調湿材に接触する前の空気の絶対湿度である入口空気湿度及び前記調湿材に接触した後の空気の絶対湿度である出口空気湿度を検知する絶対湿度検知器を含み、前記絶対湿度検知器で検知された前記入口空気湿度と前記出口空気湿度との差の絶対値が第１の所定の値以下となったとき、又は所定の間隔で算出された前記絶対値の積算値が第２の所定の値に達したときに、前記吸着飽和状態又は前記放出終了状態に達したと判断するように構成された；
請求項１に記載の空気湿度調節装置。
【請求項４】
前記状態検知手段が、前記調湿材に接触する前の空気の絶対湿度である入口空気湿度及び前記調湿材に接触した後の空気の絶対湿度である出口空気湿度を検知する絶対湿度検知器と、前記調湿材に供給される空気の流量を検知する空気流量検知器とを含み、前記絶対湿度検知器で検知された前記入口空気湿度と前記出口空気湿度との差の絶対値と前記空気流量検知器で検知された空気の流量とから前記調湿材に吸着された水分量又は前記調湿材から放出された水分量を算出し、算出された水分量が前記切替手段の切り替え前に算出された前記水分量に達したときに、前記吸着飽和状態又は前記放出終了状態に達したと判断するように構成された；
請求項１に記載の空気湿度調節装置。
【発明の詳細な説明】
【技術分野】
【０００１】
本発明は空気湿度調節装置に関し、特に熱エネルギーのロスを低減する空気湿度調節装置に関する。
【背景技術】
【０００２】
空調設備における消費エネルギーや排出二酸化炭素等を抑制するため、湿度を調節するシステムのエネルギー効率の向上が求められていることを背景に、過冷却除湿再熱とは異なるメカニズムであるデシカント（乾燥剤）を用いた湿度調節システムが注目されている。デシカントを用いた湿度調節システムとして、吸着剤を内蔵し吸着槽又は脱着槽として機能する２槽一組のデシカント吸着槽を設け、一方のデシカント吸着槽を巡り外気を室内へ給気可能とすると共に、他方の吸着槽を巡り室内空気を室外へ排気可能とし、２槽一組のデシカント吸着槽の間でタイマー等に基づき流路の切換を可能とするものがある（例えば、特許文献１参照。）。
【先行技術文献】
【特許文献】
【０００３】
【特許文献１】特開２００７−３２９１２号公報（段落００４２、図１−５等）
【発明の概要】
【発明が解決しようとする課題】
【０００４】
デシカントを用いた湿度調節システムでは、吸着過程においては吸着熱の冷却が、再生過程（脱着過程）においては脱着のための加熱が、それぞれ行われるのが一般的であるところ、デシカントの吸着過程と再生過程（脱着過程）を交互に切り替える場合、切り替えた際に、処理すべき熱が存在することとなる。例えば、脱着から吸着に切り替えた際、直前まで脱着のために加熱していたデシカントを、吸着のために冷却することとなる。特許文献１に記載されている湿度調節システムのようにタイマーで吸着過程と再生過程とを切り替える場合は、定期的に切り替え時の熱エネルギーのロスが発生することとなる。
【０００５】
本発明は上述の課題に鑑み、切り替えに伴う熱エネルギーのロスを低減する空気湿度調節装置を提供することを目的とする。
【課題を解決するための手段】
【０００６】
上記目的を達成するために、本発明の第１の態様に係る空気湿度調節装置は、例えば図１に示すように、除湿対象空気Ａ３と接触したときに除湿対象空気Ａ３中の水分を吸着し、加湿対象空気Ａ４と接触したときに加湿対象空気Ａ４に水分を放出する調湿材１１と；調湿材１１に、除湿対象空気Ａ３を供給するのと加湿対象空気Ａ４を供給するのとを切り替える切替手段６３Ｐ、６３Ｑ、６４Ｐ、６４Ｑと；調湿材１１が吸着した水分が飽和した吸着飽和状態、及び、調湿材１１に吸着されていた水分の放出が終了した放出終了状態を検知する状態検知手段８０、８８と；状態検知手段８０、８８が、吸着飽和状態又は放出終了状態を検知したときに、切替手段６３Ｐ、６３Ｑ、６４Ｐ、６４Ｑを切り替える制御装置９０とを備える。
【０００７】
このように構成すると、吸着飽和状態又は放出終了状態を検知したときに切替手段を切り替えるので、切り替えの回数を最小限に抑制することが可能となり、タイマーで切り替える場合と比較して、切り替えに伴う熱エネルギーのロスを低減することができて、エネルギー効率を向上させることができる。
【０００８】
また、本発明の第２の態様に係る空気湿度調節装置は、例えば図１に示すように、上記本発明の第１の態様に係る空気湿度調節装置１において、調湿材１１と熱交換する流体の熱媒体Ｃ、Ｈを内部に流す熱媒体管２８、２９を備え；状態検知手段が、調湿材１１と熱交換した後の熱媒体Ｃ、Ｈの温度、調湿材１１と熱交換する前の熱媒体Ｃ、Ｈの温度と熱交換した後の熱媒体Ｃ、Ｈの温度との差である熱媒体温度差、調湿材１１に接触した後の空気Ａ５、Ａ６の温度、及び調湿材に接触する前の空気Ａ３、Ａ４の温度と接触した後の空気Ａ５、Ａ６の温度との差である空気温度差の少なくとも１つを検知する温度検知器８０を含み、所定の経過時間に対する温度検知器８０で検知された値の変化分が所定の量以下となったときに、吸着飽和状態又は放出終了状態に達したと判断するように構成されている。
【０００９】
このように構成すると、比較的簡素な構成の温度検知器を用いて吸着飽和状態及び放出終了状態を検知することができ、装置構成を簡素化することができる。
【００１０】
また、本発明の第３の態様に係る空気湿度調節装置は、例えば図３に示すように、上記本発明の第１の態様に係る空気湿度調節装置において、状態検知手段が、調湿材１１に接触する前の空気Ａ３、Ａ４の絶対湿度である入口空気湿度及び調湿材１１に接触した後の空気Ａ５、Ａ６の絶対湿度である出口空気湿度を検知する絶対湿度検知器８３を含み、絶対湿度検知器８３で検知された入口空気湿度と出口空気湿度との差の絶対値が第１の所定の値以下となったときに、吸着飽和状態又は放出終了状態に達したと判断するように構成されている。
【００１１】
このように構成すると、調湿材が吸着又は放出する水分と密接に関連する空気中の絶対湿度に基づいて吸着飽和状態又は放出終了状態を検知するので、吸着飽和状態又は放出終了状態の検知の精度を向上させることができる。
【００１２】
また、本発明の第４の態様に係る空気湿度調節装置は、例えば図３に示すように、上記本発明の第１の態様に係る空気湿度調節装置において、状態検知手段が、調湿材１１に接触する前の空気Ａ３、Ａ４の絶対湿度である入口空気湿度及び調湿材１１に接触した後の空気Ａ５、Ａ６の絶対湿度である出口空気湿度を検知する絶対湿度検知器８３を含み、所定の間隔で算出された、絶対湿度検知器８３で検知された入口空気湿度と出口空気湿度との差の絶対値の積算値が第２の所定の値に達したときに、吸着飽和状態又は放出終了状態に達したと判断するように構成されている。
【００１３】
このように構成すると、絶対値の変動の誤差による影響を軽減することができ、吸着飽和状態又は放出終了状態の検知の精度を安定させることができる。
【００１４】
また、本発明の第５の態様に係る空気湿度調節装置は、例えば図３に示すように、上記本発明の第１の態様に係る空気湿度調節装置において、状態検知手段が、調湿材１１に接触する前の空気Ａ３、Ａ４の絶対湿度である入口空気湿度及び調湿材１１に接触した後の空気Ａ５、Ａ６の絶対湿度である出口空気湿度を検知する絶対湿度検知器８３と、調湿材１１に供給される空気Ａ３、Ａ４の流量を検知する空気流量検知器８６とを含み、絶対湿度検知器８３で検知された入口空気湿度と出口空気湿度との差の絶対値と空気流量検知器８６で検知された空気の流量とから調湿材１１に吸着された水分量又は調湿材１１から放出された水分量を算出し、算出された水分量が切替手段６３Ｐ、６３Ｑ、６４Ｐ、６４Ｑの切り替え前に算出された水分量に達したときに、吸着飽和状態又は放出終了状態に達したと判断するように構成されている。
【００１５】
このように構成すると、調湿材が保持可能な水分量に基づいて吸着飽和状態又は放出終了状態を検知するので、吸着飽和状態又は放出終了状態をより正確に検知することができる。
【発明の効果】
【００１６】
本発明によれば、吸着飽和状態又は放出終了状態を検知したときに切替手段を切り替えるので、切り替えの回数を最小限に抑制することが可能となり、タイマーで切り替える場合と比較して、切り替えに伴う熱エネルギーのロスを低減することができて、エネルギー効率を向上させることができる。
【図面の簡単な説明】
【００１７】
【図１】本発明の実施の形態に係る空気湿度調節装置の模式的系統図である。
【図２】処理空気を除湿対象空気とした場合の入口空気及び出口空気の時間経過に対する絶対湿度の変化を示すグラフである。（Ａ）は吸着過程におけるグラフ、（Ｂ）は放出過程におけるグラフである。
【図３】本発明の実施の形態の変形例に係る空気湿度調節装置の模式的系統図である。
【発明を実施するための形態】
【００１８】
以下、図面を参照して本発明の実施の形態について説明する。なお、各図において互いに同一又は相当する部材には同一あるいは類似の符号を付し、重複した説明は省略する。
【００１９】
まず図１を参照して、本発明の実施の形態に係る空気湿度調節装置１を説明する。図１は、空気湿度調節装置１の模式的系統図である。空気湿度調節装置１（以下「調湿装置１」という。）は、空気に接して水分を吸着及び放出する調湿材１１を有する調湿ユニット１０と、調湿材１１に接触させる空気を案内する導入ダクト５８と、調湿材１１に接触させる空気を切り替える切替手段としてのダンパ６３Ｐ、６３Ｑ、６４Ｐ、６４Ｑと、調湿材１１の温度を変化させる熱媒体としての冷水Ｃ及び温水Ｈを調湿ユニット１０に供給する導入管２８と、調湿ユニット１０から冷水Ｃ及び温水Ｈを導出する導出管２９と、調湿ユニット１０から導出された冷水Ｃ及び温水Ｈの温度を検知する温度検知器としての温度センサ８０と、温度センサ８０で検知された温度に基づいて調湿材１１の飽和状態を判断する判断部８８と、調湿装置１を制御する制御装置９０とを備えている。
【００２０】
調湿材１１は、水分を吸着して保持する水分量が多くなるに連れて単位時間あたりの吸着量が減少して行くが、吸着した水分を放出させることにより、再び当初の吸着能力を発揮することとなる。そこで、本実施の形態では、調湿材１１を有する調湿ユニット１０を２セット設け、一方の調湿ユニット１０で水分の吸着を行っている間に、他方の調湿ユニット１０では水分の放出を行わせ、水分の吸着を行わせたい空気を適宜入れ替えることにより、除湿したい空気中の水分の調湿材１１への吸着を連続して行わせることを可能にしている。以下、２つの調湿ユニット１０を区別して説明するときには、一方を「第１調湿ユニット１０Ａ」、他方を「第２調湿ユニット１０Ｂ」というが、共通の性質を説明するときは、単に「調湿ユニット１０」と総称する。調湿ユニット１０の他に、同じ数字で末尾をＡ、Ｂで区別している符号で示されている部材についても同様である。以下、調湿装置１の構成を説明する。
【００２１】
調湿ユニット１０は、調湿材１１が塗布された複数のフィン１２と、フィン１２に熱を伝達する冷水Ｃ及び温水Ｈを内部に流すチューブ１３とを有している。調湿材１１は、塩化リチウム、ゼオライト、シリカゲル等のデシカント（乾燥剤）が用いられている。各フィン１２は、空気の流れ方向に対して平行に配列されている。各フィン１２には、チューブ１３が貫通して設けられている。チューブ１３は、外周で各フィン１２に接触しており、内部を冷水Ｃが流れるときは冷熱を、温水Ｈが流れるときは温熱を、各フィン１２に伝達することがきるように構成されている。フィン１２に塗布されている調湿材１１は、チューブ１３からの熱伝達によりフィン１２の温度が変化することで、温度が変化するように構成されている。チューブ１３内には、典型的には、調湿材１１に水分を吸着させるときには冷水Ｃを流し、調湿材１１から水分を放出させるときには温水Ｈを流すこととなる。上述のように、調湿材１１に対する水分の吸着及び放出は、時間差で繰り返されることとなるところ、チューブ１３内を流れる流体も冷水Ｃ及び温水Ｈのいずれかが交互に流れることとなる。そこで、チューブ１３内を流れる流体が冷水Ｃ及び温水Ｈのいずれであるかを不問にするときは、便宜上「冷温水ＣＨ」ということとする。つまり、「冷温水ＣＨ」というときは、冷水Ｃ又は温水Ｈのどちらかを指すことになる。
【００２２】
調湿ユニット１０のチューブ１３には、チューブ１３に導入される冷温水ＣＨを流す導入管２８が一端に、チューブ１３から導出された冷温水ＣＨを流す導出管２９が他端に、それぞれ接続されている。また、調湿装置１は、冷水Ｃを導入する冷水往管２３と、温水Ｈを導入する温水往管２４と、冷水Ｃを導出する冷水還管２５と、温水Ｈを導出する温水還管２６とを有している。本実施の形態では、冷水Ｃとして井水を導入し、温水Ｈとして太陽光集熱装置で昇温された水を導入することとして、自然エネルギーの有効活用を図っている。第１調湿ユニット１０Ａに接続された第１導出管２９Ａには、内部を流れる冷温水ＣＨの温度を検知する第１温度検知器８０Ａが設けられている。第２調湿ユニット１０Ｂに接続された第２導出管２９Ｂには、内部を流れる冷温水ＣＨの温度を検知する第２温度検知器８０Ｂが設けられている。
【００２３】
冷水往管２３は、途中で２つに分かれ、一方が第１冷水往管２３Ｐ、他方が第２冷水往管２３Ｑになっている。第１冷水往管２３Ｐは、第１調湿ユニット１０Ａに接続された第１導入管２８Ａに接続されている。第２冷水往管２３Ｑは、第２調湿ユニット１０Ｂに接続された第２導入管２８Ｂに接続されている。第１冷水往管２３Ｐには、第１冷水往弁３３Ｐが配設されている。第２冷水往管２３Ｑには、第２冷水往弁３３Ｑが配設されている。温水往管２４は、途中で２つに分かれ、一方が第１温水往管２４Ｐ、他方が第２温水往管２４Ｑになっている。第１温水往管２４Ｐは、第１導入管２８Ａに接続されている。第２温水往管２４Ｑは、第２導入管２８Ｂに接続されている。第１温水往管２４Ｐには、第１温水往弁３４Ｐが配設されている。第２温水往管２４Ｑには、第２温水往弁３４Ｑが配設されている。第１冷水往弁３３Ｐ及び第１温水往弁３４Ｐは、一方が開、他方が閉となることで、開となった方を流れる流体を第１導入管２８Ａに流入させることができるように構成されている。第２冷水往弁３３Ｑ及び第２温水往弁３４Ｑについても同様に、開となった方を流れる流体を第２導入管２８Ｂに流入させることができるように構成されている。
【００２４】
冷水還管２５は、途中で第１冷水還管２５Ｐ及び第２冷水還管２５Ｑの２つが接続されて１本の配管になっている。第１冷水還管２５Ｐは、第１導出管２９Ａに接続されている。第２冷水還管２５Ｑは、第２導出管２９Ｂに接続されている。第１冷水還管２５Ｐには、第１冷水還弁３５Ｐが配設されている。第２冷水還管２５Ｑには、第２冷水還弁３５Ｑが配設されている。温水還管２６は、途中で第１温水還管２６Ｐ及び第２温水還管２６Ｑの２つが接続されて１本の配管になっている。第１温水還管２６Ｐは、第１導出管２９Ａに接続されている。第２温水還管２６Ｑは、第２導出管２９Ｂに接続されている。第１温水還管２６Ｐには、第１温水還弁３６Ｐが配設されている。第２温水還管２６Ｑには、第２温水還弁３６Ｑが配設されている。第１冷水還弁３５Ｐ及び第１温水還弁３６Ｐは、一方が開、他方が閉となることで、開となった方を流れてきた冷水Ｃを冷水還管２５に流入させることができるように構成されている。第２冷水還弁３５Ｑ及び第２温水還弁３６Ｑについても同様に、開となった方を流れてきた温水Ｈを温水還管２６に流入させることができるように構成されている。
【００２５】
調湿ユニット１０には、調湿材１１に接触させる空気を流す導入ダクト５８と、調湿材１１に接触した後の空気を流す導出ダクト５９とが、それぞれ接続されている。また、調湿装置１は、処理空気Ａ３を導入する処理ダクト５３と、レタン空気Ａ４を導入するレタンダクト５４と、供給空気Ａ５を導出する供給ダクト５５と、排出空気Ａ６を導出する排出ダクト５６とを有している。処理空気Ａ３は、除湿又は加湿を行う目的となる空気であり、本実施の形態では外気が相当する。レタン空気Ａ４は、目的となる空気が除湿又は加湿処理されて利用される場所（典型的には室内）に供給された後に、当該利用される場所から排出するために還す空気である。供給空気Ａ５は、処理空気Ａ３が調湿材１１に接触して除湿又は加湿処理された空気であって、利用される場所（典型的には室内）に供給される空気である。排出空気Ａ６は、レタン空気Ａ４が調湿材１１に接触して、調湿材１１を再度処理空気Ａ３の処理に適した状態に戻した後の、屋外に排出される空気である。供給ダクト５５には、供給ファン７５が配設されている。排出ダクト５６には、排出ファン７６が配設されている。
【００２６】
処理ダクト５３は、途中で２つに分かれ、一方が第１処理ダクト５３Ｐ、他方が第２処理ダクト５３Ｑになっている。第１処理ダクト５３Ｐは、第１調湿ユニット１０Ａに接続された第１導入ダクト５８Ａに接続されている。第２処理ダクト５３Ｑは、第２調湿ユニット１０Ｂに接続された第２導入ダクト５８Ｂに接続されている。第１処理ダクト５３Ｐには、第１処理ダンパ６３Ｐが配設されている。第２処理ダクト５３Ｑには、第２処理ダンパ６３Ｑが配設されている。レタンダクト５４は、途中で２つに分かれ、一方が第１レタンダクト５４Ｐ、他方が第２レタンダクト５４Ｑになっている。第１レタンダクト５４Ｐは、第１導入ダクト５８Ａに接続されている。第２レタンダクト５４Ｑは、第２導入ダクト５８Ｂに接続されている。第１レタンダクト５４Ｐには、第１レタンダンパ６４Ｐが配設されている。第２レタンダクト５４Ｑには、第２レタンダンパ６４Ｑが配設されている。第１処理ダンパ６３Ｐ及び第１レタンダンパ６４Ｐは、一方が開、他方が閉となることで、開となった方を流れる空気を第１導入ダクト５８Ａに流入させることができるように構成されている。第２処理ダンパ６３Ｑ及び第２レタンダンパ６４Ｑについても同様に、開となった方を流れる空気を第２導入ダクト５８Ｂに流入させることができるように構成されている。
【００２７】
供給ダクト５５は、途中で第１供給ダクト５５Ｐ及び第２供給ダクト５５Ｑの２つが接続されて１つのダクトになっている。第１供給ダクト５５Ｐは、第１調湿ユニット１０Ａに接続された第１導出ダクト５９Ａに接続されている。第２供給ダクト５５Ｑは、第２調湿ユニット１０Ｂに接続された第２導出ダクト５９Ｂに接続されている。第１供給ダクト５５Ｐには、第１供給ダンパ６５Ｐが配設されている。第２供給ダクト５５Ｑには、第２供給ダンパ６５Ｑが配設されている。排出ダクト５６は、途中で第１排出ダクト５６Ｐ及び第２排出ダクト５６Ｑの２つが接続されて１つのダクトになっている。第１排出ダクト５６Ｐは、第１導出ダクト５９Ａに接続されている。第２排出ダクト５６Ｑは、第２導出ダクト５９Ｂに接続されている。第１排出ダクト５６Ｐには、第１排出ダンパ６６Ｐが配設されている。第２排出ダクト５６Ｑには、第２排出ダンパ６６Ｑが配設されている。第１供給ダンパ６５Ｐ及び第１排出ダンパ６６Ｐは、一方が開、他方が閉となることで、開となった方を流れてきた供給空気Ａ５を供給ダクト５５に流入させることができるように構成されている。第２供給ダンパ６５Ｑ及び第２排出ダンパ６６Ｑについても同様に、開となった方を流れてきた排出空気Ａ６を排出ダクト５６に流入させることができるように構成されている。
【００２８】
判断部８８は、温度センサ８０と信号ケーブルで接続されており、温度センサ８０で検知された冷温水ＣＨの温度を信号として受信することができるように構成されている。また、判断部８８は、温度センサ８０から受信した冷温水ＣＨの温度の所定の経過時間に対する変化分（時間に対する変化率）を算出し、算出された変化分に基づいて、調湿材１１による水分の吸着が飽和した状態（吸着飽和状態）になったか否か、あるいは調湿材１１からの水分の放出が終了した状態（放出終了状態）になったか否かを判断するように構成されている。ここで、「吸着飽和状態」は、調湿材１１による水分の吸着が進行し、それ以上効果的な水分の吸着を行うことができない状態をいうものであって、理論上それ以上の水分の吸着ができなくなる状態をいうものではない。本実施の形態では、温度センサ８０と判断部８８とで状態検知手段を構成している。
【００２９】
制御装置９０は、調湿装置１の運転を制御する装置である。制御装置９０は、第１冷水往弁３３Ｐ、第２冷水往弁３３Ｑ、第１温水往弁３４Ｐ、第２温水往弁３４Ｑ、第１冷水還弁３５Ｐ、第２冷水還弁３５Ｑ、第１温水還弁３６Ｐ、第２温水還弁３６Ｑとそれぞれ信号ケーブルで接続されており、各弁の開閉を行わせることができるように構成されている。また、制御装置９０は、第１処理ダンパ６３Ｐ、第２処理ダンパ６３Ｑ、第１レタンダンパ６４Ｐ、第２レタンダンパ６４Ｑ、第１供給ダンパ６５Ｐ、第２供給ダンパ６５Ｑ、第１排出ダンパ６６Ｐ、第２排出ダンパ６６Ｑとそれぞれ信号ケーブルで接続されており、各ダンパの開閉を行わせることができるように構成されている。また、制御装置９０は、供給ファン７５及び排出ファン７６とそれぞれ信号ケーブルで接続されており、各ファンの発停を制御することができるように構成されている。また、制御装置９０は、判断部８８と情報（データ形式を含む）の授受が可能に接続されており、判断部８８における判断の結果に応じて各弁及び各ダンパの開閉を行わせることができるように構成されている。なお、本実施の形態では、判断部８８と制御装置９０とが別体に示されているが、これは理解の容易のために概念上分けていることに起因するものであって、実際には物理的に一体に構成されていてもよい。
【００３０】
引き続き図１を参照して、調湿装置１の作用を説明する。まず、夏季に適用されることが多い、処理空気Ａ３を除湿して絶対湿度が低下した供給空気Ａ５を室内に供給する際の運転を説明する。この運転の場合、処理空気Ａ３が除湿対象空気に相当し、レタン空気Ａ４が加湿対象空気に相当する。また、レタン空気Ａ４は再生用空気として機能する。今、第１調湿ユニット１０Ａは調湿材１１が水分の放出を終了しており、第２調湿ユニット１０Ｂは調湿材１１が吸着した水分が飽和しているとする。調湿装置１の運転が開始されると、制御装置９０は、第１冷水往弁３３Ｐ、第２温水往弁３４Ｑ、第１冷水還弁３５Ｐ、第２温水還弁３６Ｑを開にし、第２冷水往弁３３Ｑ、第１温水往弁３４Ｐ、第２冷水還弁３５Ｑ、第１温水還弁３６Ｐを閉にする。すると、第１調湿ユニット１０Ａでは、チューブ１３に冷水Ｃが流れ、フィン１２を介して調湿材１１が冷却される。他方、第２調湿ユニット１０Ｂでは、チューブ１３に温水Ｈが流れ、フィン１２を介して調湿材１１が加熱される。
【００３１】
また、制御装置９０は、第１処理ダンパ６３Ｐ、第２レタンダンパ６４Ｑ、第１供給ダンパ６５Ｐ、第２排出ダンパ６６Ｑを開にし、第２処理ダンパ６３Ｑ、第１レタンダンパ６４Ｐ、第２供給ダンパ６５Ｑ、第１排出ダンパ６６Ｐを閉にする。そして、制御装置９０は、供給ファン７５及び排出ファン７６を起動する。供給ファン７５の起動により、処理空気Ａ３は、屋外から、処理ダクト５３、第１処理ダクト５３Ｐ及び第１導入ダクト５８Ａを介して第１調湿ユニット１０Ａに流入し、複数のフィン１２の間を通過する。処理空気Ａ３は、フィン１２の間を通過する際、フィン１２に塗布された調湿材１１によって、処理空気Ａ３中の水分が吸着され、絶対湿度が低下し、供給空気Ａ５となる。調湿材１１は、処理空気Ａ３中の水分を吸着する際に吸着熱が発生するが、チューブ１３内を流れる冷水Ｃによって冷却されることで、温度上昇が抑制される。供給空気Ａ５は、第１導出ダクト５９Ａ、第１供給ダクト５５Ｐ及び供給ダクト５５を介して、室内（不図示）に搬送される。
【００３２】
他方、排出ファン７６の起動により、レタン空気Ａ４は、室内（不図示）から、レタンダクト５４、第２レタンダクト５４Ｑ及び第２導入ダクト５８Ｂを介して第２調湿ユニット１０Ｂに流入し、複数のフィン１２の間を通過する。フィン１２に塗布された調湿材１１は、保持している水分を放出するのに必要な熱を温水Ｈから得ているため、レタン空気Ａ４がフィン１２の間を通過する際にレタン空気Ａ４に水分を放出する。レタン空気Ａ４は、フィン１２の間を通過して調湿材１１から水分を受け取ると、絶対湿度が上昇し、排出空気Ａ６となる。排出空気Ａ６は、第２導出ダクト５９Ｂ、第２排出ダクト５６Ｑ及び排出ダクト５６を介して、屋外に排出される。
【００３３】
第１調湿ユニット１０Ａの調湿材１１は、水分を吸着して保持する水分量が多くなるに連れて（調湿材１１による水分の吸着が進行するに連れて）単位時間あたりの吸着量が減少して行き、ついにはそれ以上効果的な水分の吸着を行うことができない吸着飽和状態となる。他方、第２調湿ユニット１０Ｂの調湿材１１は、放出可能な水分をすべて放出すると、それ以降に放出する水分がなくなる放出終了状態となる。
【００３４】
図２（Ａ）に、吸着過程における入口空気（処理空気Ａ３）及び出口空気（供給空気Ａ５）の時間経過に対する絶対湿度の変化を示し、図２（Ｂ）に、放出過程における入口空気（レタン空気Ａ４）及び出口空気（排出空気Ａ６）の時間経過に対する絶対湿度の変化を示す。両図とも、経過時間０（原点）の点は、水分の吸着あるいは放出の開始直後の状態、すなわち切り替え直後の状態を表している。図２（Ａ）に示す吸着過程において、当初、処理空気Ａ３の絶対湿度が低くなっているのは、切り替え前の空気が残存しているためであり、図２（Ｂ）中の経過時間末端のレタン空気Ａ４の絶対湿度と概ね同じになっている。同様に、図２（Ａ）に示す吸着過程における当初の供給空気Ａ５の絶対湿度は、図２（Ｂ）中の経過時間末端の排出空気Ａ６の絶対湿度と概ね同じになっている。
【００３５】
図２（Ａ）に示すように、吸着過程における供給空気Ａ５の絶対湿度は、放出過程（図２（Ｂ）参照）から切り替わった直後に一時的に高い値を示しているが、残存していた排出空気Ａ６（図２（Ｂ）参照）が導出されるのに伴って急速に低下し、最小値となった後に上昇に転じて、徐々に処理空気Ａ３の絶対湿度に近づく。他方、図２（Ｂ）に示すように、放出過程における排出空気Ａ６の絶対湿度は、吸着過程（図２（Ａ）参照）から切り替わった直後に一時的に低い値を示しているが、残存していた供給空気Ａ５（図２（Ａ）参照）が導出されるのに伴って急速に上昇し、最大値となった後に下昇に転じてレタン空気Ａ４の絶対湿度に近づく。
【００３６】
吸着過程において、時間経過に伴って供給空気Ａ５の絶対湿度が上昇していることは、調湿材１１が単位時間あたりに吸着する水分量が時間経過に伴って減少していることを示唆している。調湿材１１が吸着する水分量が減少すると、発生する吸着熱が減少するため、冷水Ｃが除去すべき熱が減少する。これに伴って、第１導出管２９Ａを流れる冷水Ｃの温度が、第１導入管２８Ａを流れる冷水Ｃの温度に近づくように低下して行き、ひいては第１温度センサ８０Ａが検知する温度が低下して行く。つまり、調湿材１１が吸着する水分量の変化は、第１温度センサ８０Ａが検知する温度に表れることとなる。他方、放出過程において、時間経過に伴って排出空気Ａ６の絶対湿度が低下していることは、調湿材１１が単位時間あたりに放出する水分量が時間経過に伴って減少していることを示唆している。調湿材１１が放出する水分量が減少すると、調湿材１１からの水分の放出に使われる熱が減少するため、温水Ｈから除かれる熱が減少する。これに伴って、第２導出管２９Ｂを流れる温水Ｈの温度が、第２導入管２８Ｂを流れる温水Ｈの温度に近づくように上昇して行き、ひいては第２温度センサ８０Ｂが検知する温度が上昇して行く。つまり、調湿材１１が放出する水分量の変化は、第２温度センサ８０Ｂが検知する温度に表れることとなる。
【００３７】
本実施の形態では、調湿材１１が吸着あるいは放出する水分量の変化が、温度センサ８０が検知する冷温水ＣＨの温度に表れることを利用して、吸着飽和状態あるいは放出終了状態を検知することとしている。つまり、本実施の形態では、判断部８８が、温度センサ８０で検知された温度を適宜受信し、第１温度センサ８０Ａで検知された温度の、所定の経過時間（例えば３０秒）に対する変化分が所定の量（例えば０．５℃）以下になったときに、吸着飽和状態に達したと判断し、第２温度センサ８０Ｂで検知された温度の、所定の経過時間（例えば３０秒）に対する変化分が所定の量（例えば０．５℃）以下になったときに、放出終了状態に達したと判断する。なお、所定の経過時間及び所定の量は、調湿装置１の設置場所や用途、調湿装置１の運転に際して重視する事項（切り替えに伴う熱ロスの低減を重視するか、供給空気Ａ５の除湿度を重視するか等）を勘案して、適宜設定することができる。判断部８８は、吸着飽和状態あるいは放出終了状態を検知したら、制御装置９０にその情報を伝達し、第１調湿ユニット１０Ａにおける水分の吸着及び第２調湿ユニット１０Ｂにおける水分の放出を相互に切り替える。
【００３８】
第１調湿ユニット１０Ａ及び第２調湿ユニット１０Ｂにおける吸着・放出の切り替えに際し、第１調湿ユニット１０Ａの吸着飽和状態と第２調湿ユニット１０Ｂの放出終了状態とが同時に到来するときは、その時点で切り替えるとよく、吸着飽和状態及び放出終了状態の到来に時間差があるときは、吸着飽和状態及び放出終了状態のいずれかを優先するか、吸着飽和状態及び放出終了状態の両方に到達したときに切り替えるように設定することができる。供給空気Ａ５の絶対湿度を低めに維持する観点からは、吸着飽和状態を検知したら放出終了状態の到達の有無にかかわらずに切り替えを行うとよく、調湿材１１による水分の吸着を最大化させる観点からは、切り替え前に十分に水分の放出を完了させておくべく、放出終了状態を検知したら吸着飽和状態の到達の有無にかかわらず切り替えを行うとよく、切り替えに伴う熱ロスを最小化する観点からは、切り替え回数を最小化するべく、吸着飽和状態及び放出終了状態の両方に到達したときに切り替えを行うとよい。本実施の形態では、切り替えに伴う熱ロスを最小化するべく、吸着飽和状態及び放出終了状態の両方に到達したときに切り替えを行うこととしている。
【００３９】
制御装置９０は、判断部８８から、第１調湿ユニット１０Ａが吸着飽和状態に達した旨及び第２調湿ユニット１０Ｂが放出終了状態に達した旨の情報を受信したら、第１冷水往弁３３Ｐ、第２温水往弁３４Ｑ、第１冷水還弁３５Ｐ、第２温水還弁３６Ｑを閉にし、第２冷水往弁３３Ｑ、第１温水往弁３４Ｐ、第２冷水還弁３５Ｑ、第１温水還弁３６Ｐを開にする。すると、第１調湿ユニット１０Ａでは、チューブ１３に温水Ｈが流れて調湿材１１が加熱されるようになり、第２調湿ユニット１０Ｂでは、チューブ１３に冷水Ｃが流れて調湿材１１が冷却されるようになる。
【００４０】
また、制御装置９０は、第１処理ダンパ６３Ｐ、第２レタンダンパ６４Ｑ、第１供給ダンパ６５Ｐ、第２排出ダンパ６６Ｑを閉にし、第２処理ダンパ６３Ｑ、第１レタンダンパ６４Ｐ、第２供給ダンパ６５Ｑ、第１排出ダンパ６６Ｐを開にする。すると、屋外から処理ダクト５３に流入した処理空気Ａ３は、第２処理ダクト５３Ｑ及び第２導入ダクト５８Ｂを介して第２調湿ユニット１０Ｂに流入し、複数のフィン１２の間を通過する際に、再生された調湿材１１によって、処理空気Ａ３中の水分が吸着され、絶対湿度が低下し、供給空気Ａ５となり、第２導出ダクト５９Ｂ、第２供給ダクト５５Ｑ及び供給ダクト５５を介して、室内（不図示）に搬送される。他方、室内（不図示）からレタンダクト５４に流入したレタン空気Ａ４は、第１レタンダクト５４Ｐ及び第１導入ダクト５８Ａを介して第１調湿ユニット１０Ａに流入し、複数のフィン１２の間を通過する際に、調湿材１１から水分を受け取って、絶対湿度が上昇し、排出空気Ａ６となり、第１導出ダクト５９Ａ、第１排出ダクト５６Ｐ及び排出ダクト５６を介して、屋外に排出される。
【００４１】
判断部８８は、切り替え後においても温度センサ８０で検知された冷水Ｃ及び温水の温度の情報を受信しており、第２調湿ユニット１０Ｂが吸着飽和状態に到達し、かつ、第１調湿ユニット１０Ａが放出終了状態に到達したときに、制御装置９０を介して、第２調湿ユニット１０Ｂ及び第１調湿ユニット１０Ａにおける吸着・放出の切り替えを行い、以降、上述の作用を繰り返す。このように作動することで、処理空気Ａ３の除湿及びレタン空気Ａ４を用いた調湿材１１の再生を、連続的に行うことができる。
【００４２】
次に、冬季に適用されることが多い、処理空気Ａ３を加湿して絶対湿度が上昇した供給空気Ａ５を室内に供給する際の調湿装置１の運転を説明する。この運転の場合、処理空気Ａ３が加湿対象空気に相当し、レタン空気Ａ４が除湿対象空気に相当する。今、第１調湿ユニット１０Ａは調湿材１１が水分の放出を終了しており、第２調湿ユニット１０Ｂは調湿材１１が吸着した水分が飽和しているとする。調湿装置１の運転が開始されると、制御装置９０は、第１冷水往弁３３Ｐ、第２温水往弁３４Ｑ、第１冷水還弁３５Ｐ、第２温水還弁３６Ｑを開にし、第２冷水往弁３３Ｑ、第１温水往弁３４Ｐ、第２冷水還弁３５Ｑ、第１温水還弁３６Ｐを閉にする。すると、第１調湿ユニット１０Ａでは、チューブ１３に冷水Ｃが流れて調湿材１１が冷却されるようになり、第２調湿ユニット１０Ｂでは、チューブ１３に温水Ｈが流れて調湿材１１が加熱されるようになる。
【００４３】
また、制御装置９０は、第１処理ダンパ６３Ｐ、第２レタンダンパ６４Ｑ、第１供給ダンパ６５Ｐ、第２排出ダンパ６６Ｑを閉にし、第２処理ダンパ６３Ｑ、第１レタンダンパ６４Ｐ、第２供給ダンパ６５Ｑ、第１排出ダンパ６６Ｐを開にする。すると、屋外から処理ダクト５３に流入した処理空気Ａ３は、第２処理ダクト５３Ｑ及び第２導入ダクト５８Ｂを介して第２調湿ユニット１０Ｂに流入し、複数のフィン１２の間を通過する際に、調湿材１１から水分を受け取って、絶対湿度が上昇し、加湿された供給空気Ａ５となり、第２導出ダクト５９Ｂ、第２供給ダクト５５Ｑ及び供給ダクト５５を介して、室内（不図示）に搬送される。他方、室内（不図示）からレタンダクト５４に流入したレタン空気Ａ４は、第１レタンダクト５４Ｐ及び第１導入ダクト５８Ａを介して第１調湿ユニット１０Ａに流入し、複数のフィン１２の間を通過する際に、処理空気Ａ３中の水分が吸着され、絶対湿度が低下し、排出空気Ａ６となり、第１導出ダクト５９Ａ、第１排出ダクト５６Ｐ及び排出ダクト５６を介して、屋外に排出される。
【００４４】
判断部８８は、温度センサ８０で検知された冷水Ｃ及び温水の温度の情報を受信しており、第１調湿ユニット１０Ａが吸着飽和状態に到達し、かつ、第２調湿ユニット１０Ｂが放出終了状態に到達したときに、制御装置９０を介して、第１調湿ユニット１０Ａ及び第２調湿ユニット１０Ｂにおける吸着・放出の切り替えを行う。その際、制御装置９０は、第１冷水往弁３３Ｐ、第２温水往弁３４Ｑ、第１冷水還弁３５Ｐ、第２温水還弁３６Ｑを閉にし、第２冷水往弁３３Ｑ、第１温水往弁３４Ｐ、第２冷水還弁３５Ｑ、第１温水還弁３６Ｐを開にする。すると、第１調湿ユニット１０Ａでは、チューブ１３に温水Ｈが流れて調湿材１１が加熱されるようになり、第２調湿ユニット１０Ｂでは、チューブ１３に冷水Ｃが流れて調湿材１１が冷却されるようになる。
【００４５】
また、制御装置９０は、第１処理ダンパ６３Ｐ、第２レタンダンパ６４Ｑ、第１供給ダンパ６５Ｐ、第２排出ダンパ６６Ｑを開にし、第２処理ダンパ６３Ｑ、第１レタンダンパ６４Ｐ、第２供給ダンパ６５Ｑ、第１排出ダンパ６６Ｐを閉にする。すると、屋外から処理ダクト５３に流入した処理空気Ａ３は、第１処理ダクト５３Ｐ及び第１導入ダクト５８Ａを介して第１調湿ユニット１０Ａに流入し、複数のフィン１２の間を通過する際に、調湿材１１から水分を受け取って、絶対湿度が上昇し、加湿された供給空気Ａ５となり、第１導出ダクト５９Ａ、第１供給ダクト５５Ｐ及び供給ダクト５５を介して、室内（不図示）に搬送される。他方、室内（不図示）からレタンダクト５４に流入したレタン空気Ａ４は、第２レタンダクト５４Ｑ及び第２導入ダクト５８Ｂを介して第２調湿ユニット１０Ｂに流入し、複数のフィン１２の間を通過する際に、調湿材１１によって、レタン空気Ａ４中の水分が吸着され、絶対湿度が低下し、排出空気Ａ６となり、第２導出ダクト５９Ｂ、第２排出ダクト５６Ｑ及び排出ダクト５６を介して、屋外に排出される。
【００４６】
判断部８８は、切り替え後においても温度センサ８０で検知された冷水Ｃ及び温水の温度の情報を受信しており、第２調湿ユニット１０Ｂが吸着飽和状態に到達し、かつ、第１調湿ユニット１０Ａが放出終了状態に到達したときに、制御装置９０を介して、第２調湿ユニット１０Ｂ及び第１調湿ユニット１０Ａにおける吸着・放出の切り替えを行い、以降、上述の作用を繰り返す。このように作動することで、処理空気Ａ３の加湿及びレタン空気Ａ４を用いた調湿材１１への水分の吸着を、連続的に行うことができる。
【００４７】
以上で説明したように、本実施の形態に係る調湿装置１によれば、調湿ユニット１０の一方が吸着飽和状態となり、かつ、他方が放出終了状態となったときに、各調湿ユニット１０における吸着・放出の切り替えを行うので、調湿材の状態にかかわらずタイマーを用いてあらかじめ決められた時間ごとに吸着・放出の切り替えを行う場合に比べて、繰り返し切り替えて連続的に運転した場合における、切り替えの回数を減少させることができ、切り替えに伴う熱ロスを抑制することができる。また、調湿材１１の吸着・放出能力は、冷水Ｃ及び温水Ｈに対して授受される熱量の影響を受けるところ、冷水Ｃ及び温水Ｈに、温度の変動がある自然エネルギーを利用して温度調節されたものを用いた場合に、仮にタイマーで切り替えを行うこととすると、吸着飽和状態及び／又は放出終了状態までにまだ余力があっても画一的に切り替えられることとなるが、本実施の形態に係る調湿装置１のように、吸着飽和状態及び／又は放出終了状態を検知して切り替えることとすると、調湿材１１の吸着・放出能力を効率的に発揮させることができる。また、調湿装置１では、状態検知手段を構成する部材として温度センサ８０を用いているので、構成を簡便にできると共に、比較的安価に構築することができる。
【００４８】
なお、これまでの説明では、温度センサ８０が、導出管２９に設けられて、調湿ユニット１０から導出された冷水Ｃ及び温水Ｈの温度を検知することとしたが、これに代えて、温度センサ８０を導出ダクト５９に設けて調湿材１１に接触した後の供給空気Ａ５及び排出空気Ａ６の温度を検知することとしてもよい。この場合、判断部８８は、温度センサ８０で検知された温度を適宜受信し、温度センサ８０で検知された調湿後の空気の温度の、所定の経過時間に対する変化分が所定の量以下になったときに、吸着飽和状態又は放出終了状態に達したと判断することとなる。あるいは、温度センサ８０が、導入管２８及び導出管２９の双方に設けられて調湿ユニット１０に導入される冷温水ＣＨの温度並びに調湿ユニット１０から導出された冷温水ＣＨの温度を検知することとして、判断部８８は、熱交換前後の冷温水ＣＨの温度差の、所定の経過時間に対する変化分が所定の量以下になったときに、吸着飽和状態又は放出終了状態に達したと判断することとしてもよい。このような、出入口温度差に基づいて吸着飽和状態又は放出終了状態に達したか否かを判断することとすると、入口温度に変動がある場合等の出口温度だけで判断するのが難しい場合であっても適切に判断することができる。また、温度センサ８０が、導入ダクト５８及び導出ダクト５９の双方に設けられて調湿材１１に接触する前の処理空気Ａ３及びレタン空気Ａ４の温度並びに調湿材１１に接触した後の供給空気Ａ５及び排出空気Ａ６の温度を検知することとして、判断部８８は、処理空気Ａ３と供給空気Ａ５との温度差又はレタン空気Ａ４と排出空気Ａ６との温度差の、所定の経過時間に対する変化分が所定の量以下になったときに、吸着飽和状態又は放出終了状態に達したと判断することとしてもよい。なお、これまでに示した形態は、択一的に適用されてもよく、複数適用されてもよい。複数適用された場合、判断部８８は、いずれか１つの温度（差）の、所定の経過時間に対する変化分が所定の量以下になったときに吸着飽和状態又は放出終了状態に達したと判断することとしてもよく、すべて又は任意の複数の温度（差）の、所定の経過時間に対する変化分が所定の量以下になったときに吸着飽和状態又は放出終了状態に達したと判断することとしてもよい。
【００４９】
前述のように、吸着過程においては、調湿材１１が吸着する水分量が減少すると、発生する吸着熱が減少し、フィン１２等の温度上昇が抑制されるため、複数のフィン１２を通過後の除湿対象空気は、調湿材１１が吸着する水分量が減少するほど入口空気温度に近づくように温度が低下して行き、調湿材１１が水分を吸着しなくなると温度変化が概ねなくなる。他方、放出過程においては、調湿材１１が放出する水分量が減少すると、調湿材１１からの水分の放出に使われる熱が減少し、フィン１２等の温度が上昇して行き、複数のフィン１２を通過後の加湿対象空気は、調湿材１１が放出する水分量が減少するほど入口空気温度に近づくように温度が上昇して行き、調湿材１１が水分を放出しなくなると温度変化が概ねなくなる。つまり、温度センサ８０を導出ダクト５９（及び導入ダクト５８）に設けた場合は、調湿材１１が吸着あるいは放出する水分量の変化が、温度センサ８０が検知する空気の温度に表れることを利用することとなる。
【００５０】
次に図３を参照して、本発明の実施の形態の変形例に係る空気湿度調節装置３（以下「調湿装置３」という。）を説明する。調湿装置３は、調湿装置１（図１参照）と比較して、温度センサ８０（図１参照）に代えて、空気の絶対湿度を検知する絶対湿度検知器としての絶対湿度センサ８３を備えている。絶対湿度センサ８３は、導入ダクト５８に配設された入口センサ８４と、導出ダクト５９に配設された出口センサ８５とから構成されている。入口センサ８４は、第１導入ダクト５８Ａに設けられた第１入口センサ８４Ａ及び第２導入ダクト５８Ｂに設けられた第２入口センサ８４Ｂの総称である。出口センサ８５は、第１導出ダクト５９Ａに設けられた第１出口センサ８５Ａ及び第２導出ダクト５９Ｂに設けられた第２出口センサ８５Ｂの総称である。また、絶対湿度センサ８３は、第１入口センサ８４Ａ及び第１出口センサ８５Ａからなる第１絶対湿度センサ８３Ａ、及び第２入口センサ８４Ｂ及び第２出口センサ８５Ｂからなる第２絶対湿度センサ８３Ｂの総称である。また、調湿装置３では、判断部８９（調湿装置１における判断部８８に相当）は、絶対湿度センサ８３と信号ケーブルで接続されている。調湿装置３は、絶対湿度センサ８３と判断部８９とで状態検知手段を構成している。また、判断部８９は、受信するデータが絶対湿度であることに起因して、判断部８８（図１参照）とはロジックが異なっている。調湿装置３の上記以外の構成は、調湿装置１（図１参照）と同様である。
【００５１】
調湿装置３では、判断部８９における吸着飽和状態及び放出終了状態に到達したか否かの判断が、以下のように行われる。判断部８９は、絶対湿度センサ８３で検知した絶対湿度のデータを適宜受信している。第１絶対湿度センサ８３Ａに関して、判断部８９は、第１入口センサ８４Ａで検知された絶対湿度（以下「第１入口空気湿度」という。）及び第１出口センサ８５Ａで検知された絶対湿度（以下「第１出口空気湿度」という。）を受信したら、両者の差の絶対値（｜第１入口空気湿度−第１出口空気湿度｜）を算出し、算出した絶対値が第１の所定の値以下になったときに、吸着飽和状態あるいは放出終了状態に到達したと判断する。ここで、第１入口空気湿度と第１出口空気湿度との差の絶対値が小さいほど調湿材１１に対して吸着・放出する水分量が少ないといえることから、第１の所定の値は、調湿材１１に対して吸着・放出する水分量の所望の値の最小値となる。
【００５２】
第２絶対湿度センサ８３Ｂに関しても、第１絶対湿度センサ８３Ａと同様に、第２入口空気湿度と第２出口空気湿度との差の絶対値（｜第２入口空気湿度−第２出口空気湿度｜）が第１の所定の値以下になったときに、吸着飽和状態あるいは放出終了状態に到達したと判断する。判断部８９は、各調湿ユニット１０に関する吸着飽和状態及び放出終了状態を検知したら、制御装置９０にその情報を伝達する。制御装置９０は、判断部８９から、調湿ユニット１０が吸着飽和状態及び放出終了状態に達した旨の情報を受信したら、調湿装置１（図１参照）と同様の要領で、調湿ユニット１０における吸着・放出の切り替えを行う。
【００５３】
上述の調湿装置３によれば、調湿材１１が吸着・放出する水分の量と密接に関係する空気中の絶対湿度に基づいて吸着飽和状態及び放出終了状態を検知するので、吸着飽和状態、放出終了状態の検知の精度を向上させることができる。なお、調湿装置１と同様に、調湿ユニット１０の一方が吸着飽和状態となり、かつ、他方が放出終了状態となったときに、各調湿ユニット１０における吸着・放出の切り替えを行うので、調湿材の状態にかかわらずタイマーを用いてあらかじめ決められた時間ごとに吸着・放出の切り替えを行う場合に比べて、繰り返し切り替えて連続的に運転した場合における、切り替えの回数を減少させることができ、切り替えに伴う熱ロスを抑制することができる。
【００５４】
なお、調湿装置３の判断部８９が、入口空気湿度と出口空気湿度との差の絶対値が第１の所定の値以下になったときに代えて、所定の間隔で算出された入口空気湿度と出口空気湿度との差の絶対値をその都度積算して行き、積算値が第２の所定の値に達したときに、吸着飽和状態あるいは放出終了状態に到達したと判断することとしてもよい。第２の所定の値は、放出過程から吸着過程への切り替え時から、除湿対象空気の除湿量が所望の値の下限になるまでに、水分を吸着した調湿材１１が保持する水分量に相当する。このようにすると、突発的な外的要因等に起因した絶対値の変動の誤差による影響を軽減することができ、吸着飽和状態、放出終了状態の検知の精度を安定させることができる。
【００５５】
また、調湿装置３のさらなる変形例として、以下のように構成してもよい。調湿ユニット１０に導入される空気の流量を検知する空気流量検知器としての空気流量センサ８６をさらに備え、絶対湿度センサ８３と、空気流量センサ８６と、判断部８９とで状態検知手段を構成する。そして、空気流量センサ８６を導入ダクト５８又は導出ダクト５９に設け、判断部８９が、絶対湿度センサ８３で検知された絶対湿度に加え、空気流量センサ８６で検知された空気流量を適宜受信する。判断部８９は、調湿ユニット１０が吸着過程の場合は、入口空気湿度と出口空気湿度との差の絶対値と、空気流量とから、調湿材１１に吸着されている水分量を算出し、算出された水分量が、前回（切り替える直前）の放出過程において調湿材１１から放出された水分量に達したときに、吸着飽和状態に到達したと判断する。他方、調湿ユニット１０が放出過程の場合、判断部８９は、入口空気湿度と出口空気湿度との差の絶対値と、空気流量とから、調湿材１１から放出された水分量を算出し、算出された水分量が、前回（切り替える直前）の吸着過程において調湿材１１に吸着された水分量に達したときに、吸着飽和状態に到達したと判断する。このようにすると、調湿材１１が保持しうる水分量を検知して吸着飽和状態あるいは放出終了状態に到達したか否かを判断することとなるので、吸着飽和状態、放出終了状態をより正確に検知することができる。
【００５６】
以上の説明では、冷温水ＣＨが、自然エネルギーを利用して温度調節されたものであるとしたが、熱源装置（冷凍機やヒートポンプ）で温度調節されたものを用いることとしてもよく、都市廃熱等の未利用エネルギーを利用して温度調節されたものを用いることとしてもよい。しかしながら、本発明の実施の形態に係る調湿装置１、３では、前述のように、比較的不安定な（変動がある）自然エネルギーをも効率的に活用することができるので、自然エネルギーを利用することが好ましい。
【００５７】
以上の説明では、調湿ユニット１０を２セット設けて交互に切り替えることにより、除湿対象空気の除湿あるいは加湿対象空気の加湿を連続的に行うことができることとしたが、除湿対象空気の除湿あるいは加湿対象空気の加湿を連続的に行うことなく断続的に行えば足りる場合は、調湿ユニット１０を１セット設けることとしてもよい。あるいは、調湿材１１の能力等に応じて、調湿ユニット１０を３セット以上設けて各調湿ユニット１０における水分の吸着・放出をローテーションさせることとしてもよい。
【００５８】
以上の説明では、冷水Ｃ及び温水Ｈの切り替えのために設けられた各弁３３Ｐ、３３Ｑ、３４Ｐ、３４Ｑ、３５Ｐ、３５Ｑ、３６Ｐ、３６Ｑ、が二方弁であるとしたが、これに代えて三方弁を用いることとしてもよい。
【００５９】
以上の説明では、絶対湿度検知器が空気の絶対湿度を検知する絶対湿度センサ８３であるとしたが、湿度計を用いる以外の方法で空気の絶対湿度を検知する手段を用いることとしてもよい。
【符号の説明】
【００６０】
１、３  調湿装置
１０  調湿ユニット
１１  調湿材
２８  導入管
２９  導出管
５８  導入ダクト
５９  導出ダクト
６３Ｐ、６３Ｑ  処理ダンパ
６４Ｐ、６４Ｑ  レタンダンパ
８０  温度センサ
８３  絶対湿度センサ
８６  空気流量センサ
８８、８９  判断部
９０  制御装置
Ａ３  処理空気
Ａ４  レタン空気
Ａ５  供給空気
Ａ６  排出空気
Ｃ    冷水
Ｈ    温水
【図１】
2014055731.tif 000003
【図２】
2014055731.tif 000004
【図３】
2014055731.tif 000005